(57)【要約】【課題】本発明は、複数のコーナーと、外周逃げ面と、同一の上面及び下面とを含む多角形の基本形状を有する両面型刃先割出し可能な施削用インサートに関する。【解決手段】ノーズ切れ刃（１４）は前部切り屑流出面（１６ａ）と逃げ面（９）の凸状部分（１１）との間に形成され、アーチ形状の切れ刃稜線（ＥＬ１４）を有し、一方、主切れ刃（１５）は、側部切り屑流出面（１６ｂ）と逃げ面（９）の平坦な部分（１０）との間に形成され、直線の切れ刃稜線（ＥＬ１５）を有し、切り屑案内面（２１、２４）は切り屑流出面（１６ａ、１６ｂ）の内側に位置づけされている旋削用インサートにおいて、一次切れ刃（１２）は全体としてポジティブの切削幾何形状を有し、切り屑流出面（１６ａ）と逃げ面（９）との間の刃先角は、ノーズ切れ刃（１４）及び２つの主切れ刃（１５）の領域で、ノーズ切れ刃（１４）及び２つの主切れ刃（１５）に垂直に切断した任意の断面において鋭角となっている。【選択図】図５
2014180754.tif 000002
【特許請求の範囲】
【請求項１】
複数のコーナー（Ｊ１、Ｊ２、Ｊ３、Ｊ４）と、
外周の逃げ面（９）と、
同一の上面及び下面（５ａ、５ｂ）と、を含む多角形の基本形状を有する両面型刃先割出し可能な施削用インサートであって、
基準平面（ＵＳ、ＬＳ）内に位置づけされた平坦な支持表面（８）であって、基準平面（ＵＳ、ＬＳ）は、互いに平行であり、かつ、中立平面（ＮＰ）に対して及び平行であり、中立平面は基準平面の間の中間に位置づけされ、基準平面（ＵＳ、ＬＳ）に向かって逃げ面（９）が直角に延在している支持表面（８）と、
上面及び下面に沿って形成され、かつコーナー内に位置づけされたノーズ切れ刃（１４）と、これに向かって収束し二等分線（Ｂ１）からは離れる２つの主切れ刃（１５）とを個別に含む複数の一次切れ刃（１２）と、を備え、
ノーズ切れ刃（１４）は前部切り屑流出面（１６ａ）と逃げ面（９）の凸状部分（１１）との間に形成され、アーチ形状の切れ刃稜線（ＥＬ１４）を有し、
一方、主切れ刃（１５）は、側部切り屑流出面（１６ｂ）と逃げ面（９）の平坦な部分（１０）との間に形成され、直線の切れ刃稜線（ＥＬ１５）を有しており、少なくとも主切れ刃（１５）は、共通コーナー平面（ＣＰ）内に位置づけされた切れ刃稜線（ＥＬ１５）を有し、共通コーナー平面（ＣＰ）は基準平面（ＵＳ、ＬＳ）の方向に向かって中立平面（ＮＰ）に対して傾斜し、かつ、補助切れ刃（１９）へと移行し、補助切れ刃（１９）は、中立平面（ＮＰ）に対し平行に走り、コーナー内に配置された一対の一次切れ刃（１２）を分離し、
切り屑案内面（２１、２４）は、前記切り屑流出面（１６ａ、１６ｂ）の内側に位置づけされている旋削用インサートにおいて、
個別の一次切れ刃（１２）がポジティブの切削幾何形状を有し、
個別の主切れ刃（１５）の切り屑流出面（１６ｂ）と逃げ面（９）の平坦部分（１０）との間の刃先角（α2）と、ノーズ切れ刃（１４）の切り屑流出面（１６ａ）と逃げ面（９）の凸状部分（１１）との間の刃先角とが、主切れ刃（１５）及びノーズ切れ刃（１４）の領域で、それぞれの切れ刃稜線（ＥＬ１５、ＥＬ１４）に垂直に切断した任意の断面において鋭角となっていることを特徴とする旋削用インサート。
【請求項２】
主切れ刃（１５）の切れ刃稜線（ＥＬ１５）と、ノーズ切れ刃（１４）の切れ刃稜線（ＥＬ１４）も前記コーナー平面（ＣＰ）内に配置されていることを特徴とする請求項１に記載の旋削用インサート。
【請求項３】
一次切れ刃（１２）の刃先角（α）が、主切れ刃（１５）間の二等分線（Ｂ１）に沿った断面（ＶＩＩ）内の最小値（α1）から、個別の補助切れ刃（１９）により近い最大値（α2）に向かって増大することを特徴とする請求項１または２に記載の旋削用インサート。
【請求項４】
個別の主切れ刃（１５）がアーチ形状遷移切れ刃（１８）を介して補助切れ刃（１９）へと移行しており、遷移切れ刃（１８）の刃先角（α3）が、主切れ刃（１５）から補助切れ刃（１９）に向かう方向に連続的に増大することを特徴とする請求項１〜３のいずれか一項に記載の旋削用インサート。
【請求項５】
支持表面（８）と補助切れ刃（１９）に共通の基準平面（ＲＰ）との間の高さの差が、多くとも０．４００ｍｍであることを特徴とする請求項１〜４のいずれか一項に記載の旋削用インサート。
【請求項６】
切り屑案内面（２１，２４）が、中立平面との関係において多くとも３０°となるピッチ角度で傾斜していることを特徴とする請求項１〜５のいずれか一項に記載の旋削用インサート。
【請求項７】
前記切り屑案内面（２１，２４）が、一方では主切れ刃（１５）間の二等分線（Ｂ１）に沿ってノーズ切れ刃（１４）の後方に位置づけされているこぶ（２０）内に含まれた胸面（２４）、他方では、こぶ（２０）の後方に位置づけされ内部に支持表面（８）も含むランド（６）内に含まれた一対の側面（２１）を含んでおり、胸面（２４）は凸状のアーチ形状をしており、二等分線（Ｂ１）に対して横断方向に走る長さ延長部分を有し、かつ胸面は二等分線（Ｂ１）に沿って最大値（β1）からこの二等分線に対して垂直な断面（ＸＶ−ＸＶ）内の最小値に向かって減少する角度で勾配がついていることを特徴とする請求項１〜６のいずれか一項に記載の旋削用インサート。
【請求項８】
こぶ（２０）の後方一定距離のところに第２の胸面（２５）が形成され、その上部部分は第１の胸面（２４）の上部部分より高く位置づけされ、第２の胸面が第１の胸面（２４）の幅よりも小さいものの少なくともその５０％である幅（Ｗ２）を有していることを特徴とする請求項７に記載の旋削用インサート。
【請求項９】
コーナー平面（ＣＰ）が、中立平面（ＮＰ）との関係において６〜１１°である傾斜角を有することを特徴とする請求項１〜８のいずれか一項に記載の旋削用インサート。
【請求項１０】
中立平面（ＮＰ）との関係におけるコーナー平面（ＣＰ）の傾斜角が８．５°であることを特徴とする請求項９に記載の旋削用インサート。
【請求項１１】
一次切れ刃（１２）とコーナー平面（ＣＰ）が、最大でノーズ切れ刃の半径（ｒn）の２〜５倍の切込み（ａp）に対応する長さの延長部分を有することを特徴とする請求項１〜１０のいずれか一項に記載の旋削用インサート。
【請求項１２】
一次切れ刃（１２）およびコーナー平面（ＣＰ）の延長部分が、ノーズ切れ刃の半径（ｒn）のおよそ３．７５倍の切込み（ａp）に対応する長さを有することを特徴とする請求項１１に記載の旋削用インサート。
【請求項１３】
切れ刃稜線（ＥＬ）から切り屑案内面（２１）までの垂直方向距離が、一次切れ刃（１２）とコーナー平面（ＣＰ）の延長部分を超えた時点で、切込み（ａｐ）に対応する長さと共に増大することを特徴とする請求項１〜１２のいずれか一項に記載の旋削用インサート。
【発明の詳細な説明】
【技術分野】
【０００１】
本発明は、複数のコーナーと、外周の逃げ面と、同一の上面及び下面を含む多角形の基本形状を有する両面型割出し可能施削用インサートにおいて、二つの基準平面内に位置づけされた平坦な支持表面であって、二つの基準平面は、互いに対しておよび中立平面に対して平行であり、中立平面は二つの基準平面の間の中間に位置づけされ、中立平面に向かって逃げ面が直角に延在している支持面と、上面及び下面に沿って形成されかつコーナー内に位置づけされたノーズ切れ刃とこれに向かって収束し二等分線からは離れる２つの主切れ刃とを個別に含む複数の一次切れ刃と、が内部に含まれ、ノーズ切れ刃は前側切り屑流出面と逃げ面の凸状部分との間に形成され、アーチ形状の切れ刃稜線を有し、一方、主切れ刃は側部切り屑流出面と逃げ面の平坦な部分との間に形成され、直線の切れ刃稜線を有しており、少なくとも主切れ刃は、それぞれの基準平面の方向で中立平面との関係において傾斜した共通コーナー平面の中に位置づけされたその切れ刃稜線を有し、かつ主切れ刃は、中立平面に対し平行に走りコーナー内に設置された一対の一次切れ刃を分離する補助切れ刃へと変形し、切り屑流出案内面が切り屑流出面の内側に位置づけされている旋削用インサートに関する。
【背景技術】
【０００２】
（旋削全般について）
本発明を容易に理解できるようにするため、ワーク２の従来の外径加工中の旋削用工具１を全体的に示す添付図面図１を用いて説明する。工具１にはホルダー３ならびに本発明にしたがって製造された交換可能な旋削用インサート４が含まれている。この場合、ワーク２を、（回転方向Ｒに）回転させるのと同時に、その中心軸Ｃ１に対して平行に長手方向に、より厳密には矢印Ｆの方向に工具が送られる。一回転あたりの長手方向の送りはｆと呼称され、一方切込みはａpと呼称される。長手方向送りの方向と旋削用インサート内に含まれる主切れ刃の間の進入角度は、κと呼ばれる。図示された例において、κは９５°である。さらに、図示された旋削用インサート４が菱形の基本形状を有し、８０°の角度を有する２つの鋭角コーナーと１００°の角度を有する２つの鈍角コーナーとを含むという点を指摘しておくべきである。このようにして、旋削用インサートとワークに発生する表面との間に５°という工具の前逃げ角が得られる。通常、ホルダー３は鋼で製造され、旋削用インサート４は超硬合金などで製造される。
【０００３】
旋削を含めたあらゆる種類の金属の切り屑除去式加工において、切り屑は「屈曲した状態で発生する」すなわち、除去の直後に湾曲したものとなるという固有の目的を切り屑が獲得するという法則があてはまる。切り屑の形状、なかでもその曲率半径は、複数の要因により決定され、これらの要因のうち旋削に関して最も重要であるのは、工具の送り、切れ刃のすくい角、問題となっている切込みならびにワークの材料である。除去の後、切り屑は切れ刃の各微小部分に対して垂直に移動する。したがって、切れ刃が直線である場合には、切り屑は平坦であるかまたは断面が矩形のものとなるが、切れ刃が全体的または部分的にアーチ形状をしている場合には、切り屑もまた断面が全体的または部分的にアーチ形状となる。
【０００４】
旋削加工に対し重大な影響をもつ別の要因は、切れ刃のいわゆる切削幾何形状の選択である。当業者は、２つの切れ刃カテゴリを区別している。すなわち一方ではポジティブ正の切削幾何形状を有する切れ刃、そして他方ではネガティブ負の切削幾何形状を有する切れ刃である。前者の場合には、刃先角すなわち共に切れ刃を形成する切り屑流出面との逃げ面の間の角度は９０°より小さく、すなわち鋭角であり、一方後者の場合の刃先角は９０°（またはそれ以上）である。ポジティブの切削幾何形状を有する切れ刃とネガティブの切削幾何形状を有する切れ刃の間の違いは、前者が切れ刃と加工済み表面との間に切り屑を挟み込んでチップを上昇させることができるのに対し、後者は切り屑を生成しながら切り屑をその前方に押し出すという点にある。したがって、ポジティブの切れ刃は一般にネガティブの切れ刃よりも容易な切削が可能となり、後者に由来する切り屑よりも大きい曲率半径を有する切り屑を生成する。
【０００５】
旋削に関連して生成される切り屑の性質を背景としてさらに理解できるようにするため、異なる幅／厚みを有する切り屑が異なる曲げ性を有するという事実を説明するのに当業者が用いる暗喩に注目されたい。こうして、薄く狭幅の切り屑を細い草の葉に喩え、厚い切り屑を堅い葦に喩えることができる。草の葉と同様に、薄い切り屑は、切り屑が多少の差こそあれ強い勾配を有する隣接する案内表面の形の１つの障害物の方に誘導された場合に、さほど難なく曲がり、一方で、堅い葦様の切り屑は、同じ条件下で過剰に破断されると考えられる。このことが、高い音響レベル、大きい切削力、旋削用インサートの短かい寿命ならびに場合によっては粘着を伴う高い発熱をひき起こす。
【０００６】
旋削に関連して、切り屑の制御と切り屑の排出は、機械加工の結果のみならず問題のない効率の良い処理にとってきわめて大きな重要性をもつ。除去された切り屑がいずれかの案内表面またはチップブレーカにより案内されない場合、それは無制御かつ予測不可能な形で発達する。こうして、薄く曲げ性のある切り屑（草の葉参照）はかなり大きな直径を有する長い電話コード様のネジを形成するようにカールする可能性があり、それがワークの加工済み表面上に衝突しそれに損傷を与えるかもしれず、さらに、あなどれないことであるが、機械加工を行う機械の中に含まれる工具または他の構成要素内に巻き込まれる可能性がある。一方、厚く堅い切り屑が除去直後に強い勾配を有する案内表面上に衝突すると考えられる場合には、切り屑の過剰破断の傾向、粘着をひき起こすかもしれない極度の発熱、旋削用インサートの切削鈍化を示すこと、ならびに切り屑案内面内の早期摩耗損傷の危険性などの他の問題が発生する。したがって、切り屑が遠くへ入念に案内されて、例えばカールしてひび割れすることによってより小さな断片へと破断され得るかまたは旋削用インサートの逃げ面上に衝突しこの逃げ面に当たって粉々にされることになるような切れ刃の切れ刃稜線からの距離のところにそのような傾斜角度で案内表面が位置づけされている場合に、最適な所望の切り屑制御が得られる。（短かい断片ではなくむしろ）螺旋状の切り屑が偶発的に形成された場合でも、その直径が小さく長さがわずかであることが望ましい。
【０００７】
これに関連して、密封可能なハウジング内に設置され定期的に無人となる近代的なソフトウェア制御型旋削機械においては、良好な切り屑制御および切り屑排出がきわめて重要であるという点を指摘しておくべきである。切り屑が、機械に包含されるコンベアによって搬出可能なより小さい断片（または短かいネジ形成）に分割されず、むしろ管理できない切り屑のもつれを形成すると考えられる場合、上述の切り屑は無人の場合の機械の運転停止および重大な損傷を急速にひき起こす可能性がある。
【０００８】
（先行技術）
最初に一般的に言及した種類の両面型旋削用インサートは、特許文献１により以前から公知である。前記公知の旋削用インサートの一般的利点は、一次切れ刃の２つの直線主切れ刃が、旋削用インサートの中立平面との関係において一定の角度で傾斜している共通のコーナー平面の中に位置設定されているという点にある。このようにして、現在のコーナーで主切れ刃およびノーズ切れ刃にそれぞれ連結するそれぞれ平坦およびアーチ形状の逃げ面がワークからの良好なクリアランスを得るのと同時に、機能状態の直線主切れ刃を、望ましい方法で回転ワークとの関係において平面に配向することができる。しかしながら、公知の旋削用インサートには、共に一次切れ刃を形成する２つの主切れ刃ならびにノーズ切れ刃が、互いに９０°の角度を形成する切り屑流出面と逃げ面の間に形成されている、すなわち一次切れ刃に沿った刃先角が全体として９０°であることを理由として、ネガティブの切削幾何形状を有するという面倒なデメリットがある。これはすなわち一次切れ刃が強靭になるもののその一方でポジティブの切削幾何形状を有する切れ刃よりも切削がはるかに鈍化することを意味している、ということも事実である。このネガティブの切削幾何形状は、切れ刃が機械加工対象の材料内に食い込みワークに沿って開始されたパスを中断し得るという事実の帰結として、とりわけ小または中程度の切削深さでの仕上げまたは中間切削に関して特に不利である。さらに、切り屑誘導用案内表面を内部に含むランドまたはチップフォーマは、（平面立面（ｐｌａｎｅ  ｅｌｅｖａｔｉｏｎ）で見た場合）くさび形状を有し、切り屑流出面および案内表面は、横断面がＶ字形である溝を介して分離されており、切り屑はこれらの溝の上を、案内表面に到達する前にいかなる支持体も下にない状態で通過しなければならない。その上、個別の案内表面は、かなり険しい角度（４５°）で隆起し、このことによりまさに、切込みおよび送りが大きい場合に生成されるこのような厚く高剛性の切り屑（葦参照）が、多大な発熱下で大きな力で案内表面に衝突することになる。同様に、ノーズ切れ刃から最も遠いところに位置する案内表面が切れ刃の切れ刃稜線の近くに位置づけされているという事実も同様に、これに大きく貢献している。このことは、幅広の厚い切り屑が案内表面に衝突した場合に、（切り屑が赤熱して可塑的である）除去後に充分冷却する時間がなかったということを暗示している。
【先行技術文献】
【特許文献】
【０００９】
【特許文献１】米国特許第４４１１５６５号明細書
【特許文献２】米国特許第４０５６８７２号明細書
【発明の概要】
【発明が解決しようとする課題】
【００１０】
本発明の目的は、上記特許文献１によって公知である旋削用インサートの上述の欠点を取り除き、改良された両面型旋削用インサートを提供することにある。したがって、本発明の基本的目的は、良好な切り屑制御を有し、かつワークから良好なクリアランスを有する容易に切削する両面型旋削用インサートを提供することにある。さらなる目的は、特に求められる場合すなわち切込みが大きく切り屑が幅広で剛性がある場合に、小または中程度の切込みにおける容易な切削特性と強度が組合わされている旋削用インサートを提供することにある。良好な切り屑制御は、切り屑が小、中または大きな切込みで生成されるか否かとは無関係に、切り屑を注意深く、ただし明確な形で案内することによって得られるはずである。換言すると、薄く容易に曲げることのできる切り屑（草の葉）は、除去の後急速に、多大で高い信頼性の案内を得るはずであり、一方幅広で剛性のある切り屑（葦）は、切り屑誘導用案内表面に達する前に大きい曲率半径を発生させることができるはずであり、これらは全て、過剰な破断および有害な発熱を回避することを目的としている。
【課題を解決するための手段】
【００１１】
本発明によると、少なくとも基本的目的は、個別の一次切れ刃が一般的にポジティブの切削幾何形状を有し、こうして、個別の主切れ刃の切り屑流出面と逃げ面との間の刃先角だけでなく、ノーズ切れ刃の切り屑流出面と逃げ面との間のくさび角度も、それぞれの切れ刃稜線に伴う任意の断面において鋭角となっていることによって達成される。このようにして、一次切れ刃はその切れ刃稜線全体に沿って容易に切削するものとなり、これによってまさに、問題の切込みとは無関係に効率の良い切り屑が保証されることになる。
【００１２】
好ましい一実施形態においては、主切れ刃の切れ刃稜線のみならずノーズ切れ刃の切れ刃稜線も、中立平面に対し傾斜したコーナー平面内に集合的に位置づけされている。このことはすなわち、ノーズ切れ刃ならびに個別の主切れ刃が効率良く作動できる最適な空間位置に旋削用インサートを傾けることができるということを意味している。このようにして、ワークと逃げ面の間にクリアランスを提供する目的で両面型旋削用インサートが前記空間位置に傾けられた時点で、ワークとの関係において本質的に水平方向に、一次切れ刃全体を伴うコーナー平面を配向することができる。換言すると、一次切れ刃全体に沿って、より有利なすくい角を得ることができ、こうして切削力、音および発熱がさらに削減される。
【００１３】
さらなる実施形態においては、一次切れ刃の刃先角は、主切れ刃間の二等分線に沿った断面内の最小値から、個別の補助切れ刃により近い最大値に向かって増大することができる。このようにして、より高い強度が求められる場所すなわち主切れ刃に沿って一次切れ刃の強度が増大するのに対して、旋削用インサート上の応力が最小である場所、すなわちノーズ切れ刃に沿って切れ刃は最適な正の切削幾何形状を獲得する。
【００１４】
さらに１つの実施形態において、主切れ刃は、アーチ形状の遷移切れ刃を介して補助切れ刃へと変形しており、遷移切れ刃の刃先角は、個別の主切れ刃から補助切れ刃に向かう方向に連続的に増大する。このようにして、補助切れ刃に対して最適な強度を提供する目的で、主切れ刃に沿って鋭角である状態から補助切れ刃に沿った９０°まで刃先角を増大させることができると同時に、遷移が一様になりこうして切り屑に対しても穏やかになる。アーチ形状の（滑らかな）遷移切れ刃はさらに、主切れ刃と補助切れ刃との間のアーチ形状の遷移切れ刃によって切れ刃稜線内に形成される（滑らかな）波状部分により、耐用年数の延長と切削特性の改善をもたらすかもしれない。
【００１５】
さらなる実施形態において、切り屑案内面は、多くとも０．４００ｍｍである高さ（すなわち旋削用インサートの支持表面と補助切れ刃に共通の平面との間のレベル差）を有するかもしれない。最も好適には、この高さは、最大０．３００ｍｍである。切り屑案内面の高さのこの最大化は、とりわけ剛性のある切り屑が有利なほどに大きい曲率半径を発生させることができるようにすることによって、切り屑の注意深い案内に著しく貢献する。
【００１６】
さらに１つの実施形態において、切り屑誘導用または切り屑破断用案内表面は、中立平面との関係において多くとも３０°となるピッチ角度で傾斜している。このようにして、切り屑が容易に曲げられるかまたは比較的剛性があるかとは無関係に、切り屑の注意深い（ただし明確な）案内が保証される。
【００１７】
一実施形態において、案内表面は、一方では主切れ刃間の二等分線に沿ってノーズ切れ刃の後方に位置づけされているこぶ内に含まれた胸面、そして他方では、こぶの後方に位置づけされ内部に支持表面も含むランド内に含まれた一対の側面を含んでおり、胸面は凸状のアーチ形状をしており、二等分線に対して横断方向に走る長さ延長部分を有し、かつ胸面は二等分線に沿って最大値からこの二等分線に対して垂直な断面内の最小値に向かって減少する角度で勾配がついている。換言すると、胸面の長さ延長部分は二等分線との関係において横断方向であり、同時に表面は２つの端点に向かって平坦度を増大させる。このようにして、こぶの胸面は、薄い切り屑の迅速かつ明確な案内を保証し、それと同時に、こぶの端部部分は、より幅広で剛性のある切り屑に対して唐突に隆起する障害物を全く形成しない。
【００１８】
さらなる実施形態においては、こぶの後方一定距離のところに第２の胸面が形成され、その上部部分は第１の胸面の上部部分よりも高いレベルに位置づけされている。このようにして、薄い切り屑は、それが第１の胸面によって案内されることなく、偶発的にこの胸面を通過するかまたは「飛越す」場合でも（後部のより高い胸面を用いた）案内が保証される。
【００１９】
別の実施形態において、コーナー平面は、コーナー平面との関係において６°〜１１°の傾斜角、例えば８．５°の傾斜角を有する。このようにして、傾いた空間的位置における旋削用インサートとワークの間に満足のいくクリアランスが保証される。傾斜がこれを上回った場合、詳細にはコーナー平面の延長部分が比較的大きい場合、コーナー平面の延長部分を上回る切込みにおける切り屑の過剰破断の危険性がある。先に指摘した通り、両面型旋削用インサートの支持表面は、補助切れ刃よりも過度に高いレベルに設置されてはならない。
【００２０】
さらなる実施形態において、一次切れ刃およびコーナー平面は、最大でノーズ切れ刃の半径の２〜５倍の切削深さである延長部分、例えばノーズ切れ刃の半径のおよそ３．７５倍の切削深さである最大延長部分を有する。それでも、こうして補助切れ刃よりも過度に高いレベルに前記支持表面を設置する必要がなくなることを理由として、このようにして切り屑の過剰破断という前記の危険性を低減させることができる。
【００２１】
別の実施形態において、旋削用インサートは、一次切れ刃とコーナー平面の延長部分を超えた時点で切込みと共に増大する、切れ刃稜線から切り屑制御用案内表面までの垂直方向距離を有する。同様にこのようにして、距離がより幅広の切り屑について増大し、このため切り屑は切り屑誘導用案内表面に達する前に大きい曲率半径を発生させることができるようになるため、過剰破断の危険性を低減させることができる。
【００２２】
（先行技術のさらなる説明）
特許文献２では、多角形両面型旋削用インサートにおいて、その一次切れ刃が、共通のノーズ切れ刃から分岐し旋削用インサートの中立平面との関係において傾斜している２つの直線主切れ刃を含む旋削用インサートが開示されている。しかしながら、この場合、旋削用インサートの同じ側に沿う一対のコーナー間で全ての補助切れ刃が欠如している。こうして、主切れ刃はその全体が付属するノーズ切れ刃から中心点まで延在し、ここでこれらの主切れ刃は直接互いの形状へと変形する。このことは、すなわち、中央ランドの切り屑案内用側面が高くなり、切れ刃稜線のすぐ内側で非常に急な角度で隆起していることを意味する。したがって、全ての幅広で剛性のある切り屑は、大きな力でかつ過剰破断および極端な発熱の明らかな危険性を伴って、側面内に急速に突入する。
【図面の簡単な説明】
【００２３】
【図１】一般的な施削の状態を示す概略図である。
【図２】本発明に係る旋削用インサートの斜視図である。
【図３】図２に係る旋削用インサートの上から見た平面図である。
【図４】同じ旋削用インサートの拡大側面図である。
【図５】コーナーに隣接する旋削用インサートを示すさらなる拡大図である。
【図６】図５と同じコーナーの上から見た平面図である。
【図７】図６中のＶＩＩ−ＶＩＩの断面図である。
【図８】旋削用インサートの周囲に沿った異なる部分における刃先角を示す断面図である。
【図９】旋削用インサートの周囲に沿った異なる部分における刃先角を示す断面図である。
【図１０】旋削用インサートの周囲に沿った異なる部分における刃先角を示す断面図である。
【図１１】旋削用インサートの周囲に沿った異なる部分における刃先角を示す断面図である。
【図１２】旋削用インサートの上面に含まれる異なる部分の高低差を示す、図７に対応する拡大断面図である。
【図１３】切り屑誘導用のこぶに含まれる第１の胸面と第２の胸面の幾何学的形状を示す拡大した詳細図である。
【図１４】図１３中のＸＩＶ−ＸＩＶの縦断面図である。
【図１５】図１３中のＸＶ−ＸＶの大きく拡大した断面図である。
【図１６】図１３中のＸＶＩ−ＸＶＩの類似の断面図である。
【図１７】一次切れ刃のノーズ切れ刃との関係における２つの胸面の場所を示す詳細な平面図である。
【図１８】旋削用インサートの中立平面との関係において一次切れ刃がどのように角度づけされているかを示す部分的斜視図である。
【図１９】管状ワークならびにその機械加工中の本発明に係る旋削用インサートを示す、部分的に断面に斜線を描いた斜視図である。
【図２０】旋削中のワーク内の旋削用インサートの係合を示す別の視点から見た類似の斜視図である。
【図２１】図２０中と同じ係合を示すさらなる拡大斜視図である。
【図２２】異なる切込みでの旋削中の旋削用インサートを示す切断した斜視図である。
【図２３】異なる切込みでの旋削中の旋削用インサートを示す切断した斜視図である。
【図２４】異なる切込みでの旋削中の旋削用インサートを示す切断した斜視図である。
【図２５】コーナー内の旋削用インサートのクリアランスを示す拡大詳細図である。
【発明を実施するための形態】
【００２４】
図２〜４では、旋削用インサート４が多角形の基本形状を有し、それぞれ全体として符号５ａおよび５ｂが付された一対の相対する上面と下面とを含んでいることがわかる。旋削用インサートは、上面と下面とが同一となるように両面性を有する。このため、以下では上面５ａのみについて詳細に記述する。
【００２５】
この場合、上面５ａには、互いに分離された複数のランド６、７が含まれており、これらのランドは個別に平坦な表面８を含み、この表面は、旋削用インサートが反転されて工具ホルダー３内のインサート座内へ適用された時点で支持表面として役立つことができる。全部で８個のランドのうち４つ、すなわちランド６は旋削用インサートのコーナーの域内にあり、一方ランド７は２つのコーナーランド６間のほぼ中間のところに配置されている。旋削用インサートのそれぞれの上面および下面（５ａ、５ｂ）に沿った全ての支持表面８は、付属するインサート座内の平坦な底部表面に同時に当接できるようにするため、それぞれ共通の平面ＵＳおよびＬＳ内に位置設定されている。中立平面は、平面ＵＳとＬＳ間の中間に位置し、それらに対し平行である。以下で記述され旋削用インサートの形状を決定する幾何学的特徴は、この中立平面ＮＰとの関係において説明されている。
【００２６】
実施例において、旋削用インサートは菱形であり、互いに対を成して相対している４つのコーナーＪ１、Ｊ２、Ｊ３およびＪ４を含む（図２参照）。コーナーＪ１、Ｊ２において旋削用インサートは鋭角であり、一方コーナーＪ３、Ｊ４は鈍角である。コーナー角は変動してよいが、この場合、鋭角は８０°であり、鈍角は１００°である。上面と下面５ａ、５ｂの間には外周逃げ面が延在し、符号９が付されており、かつ複数の部分表面すなわち４つの平坦な表面１０とコーナーに位置し隣接する平坦な表面１０の間で弧状の遷移部分を形成する４つの凸状部分（表面）１１とを含む。図３中、Ｂ１は、鋭角コーナーＪ１、Ｊ２の二等分線を表わし、一方Ｂ２は鈍角コーナーＪ３、Ｊ４の二等分線を表わす。従来旋削用インサートをサイズで分類するのに使用されているタイプの内接円がＩＣで示されている。実際には、問題となっている種類の旋削用インサートのＩＣ測定値は、６〜２５ｍｍの範囲内にあり得る。（以下で論述される）下部側５ａに沿った下部平面ＬＳと切削先端との間の軸方向距離（レベル差）（図５参照）として定義される旋削用インサートの厚みｔ（図４参照）は、ＩＣ測定値よりはるかに小さい。図面の図の基礎を成すプロトタイプ実施形態において、ＩＣ測定値は１２．７ｍｍ、厚みｔは４．７６ｍｍである。
【００２７】
個別の上面と下面のそれぞれに沿って、鋭角コーナーＪ１、Ｊ２間で二等分線Ｂ１に沿ってならびに鈍角コーナーＪ３、Ｊ４間で二等分線Ｂ２に沿って位置づけされた２対の直径方向に相対する切れ刃１２が形成される。これらの切れ刃１２のうち、本発明に関しては、コーナーＪ１、Ｊ２内に位置づけされた切れ刃が最も有利である。４つの全ての切れ刃がそれ自体使用可能であるものの、１つの同じ工具ホルダー３内で使用できるのは一対だけである。このため、鋭角コーナーＪ１、Ｊ２の切れ刃１２のみについて詳述する。
【００２８】
ここでは、本切れ刃１２を以下形式的に「一次切れ刃」と呼ぶということをここですでに指摘しておかなければならない。
【００２９】
図５および６を見ればわかるように、個別の一次切れ刃１２は３つの部分切れ刃、すなわちコーナー内に位置するノーズ切れ刃１４、ならびにこのノーズ切れ刃に向かって収束し全体として１６と呼称されている切り屑流出面と逃げ面９の部分表面１０、１１との間に個別に形成される２つの切れ刃１５を含んでいる。これらの部分表面のうち、表面１０は平坦であり、したがって個別の主切れ刃１５は、平面立面図に見られる通り、直線となり、一方表面１１は凸状のアーチ形状であり、例えば部分的に円筒形であって、そのためノーズ切れ刃１４はアーチ形状、たとえば平面立面図を見ればわかるように部分的に円形となる。ノーズ切れ刃１４の凸状部分１１である逃げ面は、垂直な境界線１７を介して逃げ面の平坦部分１０へと変形する。図５において、ＥＬは一般に、旋削用インサートの上面（または切り屑流出面）と逃げ面の間の外周方向の切れ刃稜線を表わす。参照番号１４および１５も、ＥＬと呼称される切れ刃稜線を指しているものの、そのような切れ刃が、切り屑流出面と逃げ面の間に画定される材料部分で構成され、これらの表面が切れ刃稜線に沿って互いに遭遇していることを指摘しておかなければならない。
【００３０】
全体として１６として示されている切り屑流出面は、複数の部分表面、すなわちノーズ切れ刃１４の後方の第１の切り屑流出面１６ａ、主切れ刃１５に隣接する２つの切り屑流出面１６ｂ、遷移切れ刃１８に隣接する２つの切り屑流出面１６ｃ、ならびに補助的切れ刃１９に隣接する２つの切り屑流出面１６ｄを含む。さらに、（切り屑流出面１６ａと逃げ面の凸状部分１１との間の）切れ刃稜線ＥＬのアーチ形部分はＥＬ１４と呼称され、一方（切り屑流出面１６ｂと逃げ面の平坦部分１０の間の）切れ刃稜線の直線部分はＥＬ１５として示されている。
【００３１】
中程度の切込み（１〜２ｍｍ）において、主たる切り屑除去は個別の主切れ刃１５によって実施され、その一方でノーズ切れ刃１４は、一方では小さい切込み（０．５〜０．８ｍｍ）において単独で作動するという目的、そして他方では２つの主切れ刃１５のうちのいずれが（より大きい切削深さで）機能状態にあるかとは無関係にワークの加工済み表面を拭い去るという目的を有する。
【００３２】
図２および３において、旋削用インサートは中央に貫通孔１８を含み、その中心軸がＣ２と呼称されていることがさらにわかる。この孔は、工具ホルダーのインサート座内に旋削用インサートを固定するためのネジの収容用に意図されたものである。中心軸Ｃ２は同様に、旋削用インサート全体の幾何学的中心を形成している。２つのコーナーＪ１およびＪ２が中心軸Ｃ２から等距離で離隔されていることは自明である。同様に、中心軸Ｃ２から２つのコーナーＪ３、Ｊ４までの半径方向距離は、等しい大きさを有するが、これはコーナーＪ１、Ｊ２までの距離よりは小さい。これに関連して、ネジ以外の手段、例えばクランプ、レバーなどを用いて旋削用インサートを固定してもよいという点を指摘しておかなければならない。このような場合、旋削用インサートは孔無しで製造されてよい。
【００３３】
２つの主切れ刃１５は、ノーズ切れ刃１４と共に個別の一次切れ刃１２を形成し、（以下「コーナー平面」と呼ぶ）共通平面ＣＰ内に位置づけされており、この共通平面は、中立平面ＮＰとの関係において傾斜している。こうして個別の直線主切れ刃１５は、わずかにアーチ形状となっている遷移エッジまたは中間切れ刃１８を介して同様に直線である補助切れ刃１９へと変形する。切れ刃１５、１８、１９を（例えば図３または６にしたがって）平面立面で見た場合、それらの切れ刃稜線は、それらが逃げ面の平坦部分１０に隣接していることから、共通の直線をたどっている。しかしながら側面から見た場合、中間切れ刃１８は、内側にある切り屑流出面１６ｃがわずかにアーチ形状であることの帰結としてわずかにアーチ形状であり、一方、主切れ刃１５ならびに補助切れ刃１９の切れ刃稜線ＥＬ１５およびＥＬ１９は、側面から見た通り、より厳密には１６ａおよび１６ｂとして示される切り屑流出面が平坦であることの帰結として直線である。これに関係して、異なる切り屑流出面１６ａ、１６ｂ、１６ｃおよび１６ｄが、構造線を用いて分離された状態で示されているということを指摘しておかなければならない。ただし、これらの構造線は、切り屑流出面の存在を理解させることのみを目的としている。実際には、問題の切り屑流出面は、単一の連続した滑らかな切り屑流出面内に含まれ、その中でこれらの切り屑流出面を裸眼で見抜くことはできない。
【００３４】
これに関連して、傾斜したコーナー平面ＣＰは、内部に位置する個別の切り屑流出面１６ａおよび１６ｂのいずれかの部分によってではなくむしろ切れ刃稜線ＥＬ１４およびＥＬ１５により画定されるという点を指摘しなければならない。
【００３５】
補助切れ刃１９（図４および５参照）は、中立平面ＮＰに対し平行に走り、支持表面８の平面ＵＳ（またはＬＳ）との関係において凹んだ共通の基準平面ＲＰ内に位置づけされている。
【００３６】
本発明にとって極めて重要である１つの特徴は、一次切れ刃１２が全体として正の切削幾何形状を有すること、より厳密にはこうして、ノーズ切れ刃１４と共に一次切れ刃１２を形成する２つの主切れ刃１５が、図８〜１２中の拡大断面図を見るとわかるように、切れ刃の鋭角のくさび角度、すなわち刃先角を有するようになっていることにある。したがって、プロトタイプ実施形態において、ＶＩＩの断面内の刃先角α1（図６および１２参照）は８１．５°、すなわち補角が８．５°となる角度である。ＶＩＩの断面から、ノーズ切れ刃１４の刃先角は、境界線１７により画定される端部まで、８１．５°から８４．５°まで連続的に増大する。断面ＶＩＩＩおよびＩＸにおいて、すなわち主切れ刃１５に沿っては、刃先角α2は一定であり、８４．５°（補角＝５．５°）である。その後、角度α3は、中間切れ刃１８に沿って再び連続的に増大して、最終的に、補助切れ刃１９に沿った切れ刃の恒常なくさび角度α4である９０°に達する。このことはすなわち、最後に言及した切れ刃の切削幾何形状が負であることを意味するが、補助切れ刃に沿って除去される切り屑の部分がつねに幅広かつ剛性であり、この部域内の切り屑が旋削用インサートに大きな応力を及ぼすという事実が関与するという点でこれが有利であることも事実である。このような理由で、切れ刃α4のくさび角度が、補助切れ刃１９に沿ってのみ直角となっていることが有利であるが、それは、補助切れ刃がこうしてきわめて強靭になるからである。
【００３７】
各一次切れ刃１２について、こぶ２０内ならびに後方にあるランド６内に含まれる案内表面の形をした切り屑制御用手段が存在する。
【００３８】
こぶ２０の形状も同様に、構造線すなわち下部境界線２２および上部境界線２３を用いて明らかにされている（図５および１３を参照のこと）。これらのうち、下部境界線２２は、こぶが周囲の切り屑部分表面１６ａ、１６ｂとの関係においてどこで隆起し始めるかを示し、一方、上部境界線２３は、こぶの下部部分と上部部分とを区別している。図１３および１４中の拡大された幾何形状の図から、前方向／下向きに勾配のついた胸面（breast surface）２４が、こぶの上部部分と下部部分の間の遷移部分内に含まれていることがわかる。前記胸面２４は全体的に細長く、凸状アーチ形状を有する。細長い延長部分は、二等分線Ｂ１との関係において横断方向であり、より厳密にはアーチ形状の下部境界線２２が二等分線Ｂ１に沿って位置づけされた頂点ＡＰを有し、頂点ＡＰから直線基準線ＲＬに沿って位置する一対の相対する端点ＥＰ１まで延在する２つの鏡面対称アーチ線を含むようなものであり、ここで直線基準線は端点ＥＰ１の間の中間点ＭＰ１で二等分線と直交している。胸面（およびノブ）の幅を決定する端点ＥＰ１の間の距離は、点ＭＰ１とＡＰの間の距離よりも大きい。
【００３９】
図示された好ましい実施形態において、胸面２４はさらに、中心ＭＰ１と個別の端点ＥＰ１の間の距離もＭＰ１とＡＰ間の距離よりも幾分か大きくなるような大きな幅さえ有している。胸面２４の別の特徴は、中心ＭＰ１を通る任意の垂直区分内のその傾斜角度β1が、二等分線Ｂ１に沿った区分内の最大値から個別の端点ＥＰ１を通る区分内の最小値まで減少することにある。換言すると、傾斜はＡＰからＥＰ１に向かう方向で次第に平坦になる。こぶおよびその胸面のこの形状によって、主として主切れ刃１５に沿ってそして場合によっては切れ刃１８および１９内のその延長部分に沿って除去される比較的幅広で剛性の切り屑は、こぶの側面に沿って連続的に上へ摺動する場合に入念に案内されることになる。このような切り屑の過剰制動に対抗するため、こぶ２０の上部部分つまりクラウンは、さらに、周囲の切り屑流出面より上に適度な高さを有する。こぶの２次元アーチ形状形状は同様に、二等分線に沿った半径ｒ2（図１４参照）よりもこぶの横方向の曲率半径ｒ1（図１５参照）の方が大きいものとして、描写されてもよい。
【００４０】
本発明の開発作業中に、切込みが小さく送りが比較的大きい場合に生成されるような幅狭の切り屑、すなわち幅狭で厚い切り屑について、こぶ２０とその胸面２４が、つねに所望の切り屑案内能力を提供するわけではないということが分かった。したがって、このような切り屑は、胸面を通過する（「飛越す」）傾向を有し、所望の方向にそれを案内することができなかった。この危険性を未然に防ぐため、本発明に係る旋削用インサートを同様に、第１の胸面２４の後方へ一定の距離のところに位置しかつその上部部分が第１の胸面の上部部分よりも高いレベルに位置する第２の胸面２５と伴わせて形成してもよい（図５および６を参照のこと）。図示された好ましい実施形態において、こぶ２０およびランド６は、尾根部を介して一体化されており、この尾根部は全体として２６と示され、こぶ２０のクラウンより低いレベルに位置する谷部２７（図１２も参照のこと）内の最下位の端部から、ランド６の上部支持表面８を伴うレベルの最高の端部まで隆起している。尾根部２６は、主として、上述の側面２１によって画定されており、これらの側面２１は、共通の（架空の）波頂線２８から下向きに、ならびに他の点においてランド６を画定している側面２９（図６参照）の前方向延長部分内へ延在している。第２の胸面２５は、尾根部２６上に形成され（図５および６を参照）かつ後方向で波頂線２８に向かって先細になっているカム３０の中に含まれている。
【００４１】
同様に、ランド６の後部部分が自転車のサドル様の輪郭形状を有するという点も指摘しておくべきである。したがって、支持表面８の後部の幅広の部分は横方向に良好な支持を提供する。
【００４２】
ここで、個別のコーナーＪ１、Ｊ２に隣接する旋削用インサートの上部側のトポグラフィを画定する表面部分の間のレベル差を示す図１２を参照されたい。先に言及したプロトタイプ実施形態において（ＩＣ＝１２．７ｍｍおよびｔ＝４．７６ｍｍ）、ランド６の支持表面８と基準平面ＲＰの間のレベル差Ｈ１は０．３００ｍｍであり、ノーズ切れ刃１４の切削先端ＳとＲＰの間のレベル差Ｈ２は０．２００ｍｍである。ＲＰと、順に境界線２２（胸面２４と切り屑流出面１６ａの間の凹みの中に位置するもの）、尾根部２６の最下位点（こぶ２０の裏側と第２の胸面２５の間の谷部２７内に位置するもの）、こぶ２０のクラウンおよびカム３０の波頂との間の対応するレベル差は、それぞれＨ３、Ｈ４、Ｈ５およびＨ６と呼称されている。プロトタイプ実施形態において、Ｈ３は０．１４４ｍｍ、Ｈ４は０．１８１ｍｍ、Ｈ５は０．１９８ｍｍ、Ｈ６は０．２４９ｍｍである。したがって、第２の後部胸面２５は第１の前部胸面２４よりも０．０５１ｍｍ（０．２４９−０．１９８）高く突出することになる。したがって明確な案内を受けずに前部胸面２４を通過する幅狭の切り屑が、突出する第２の胸面２５に衝突しそれにより横へと案内される確実性は高くなる。
【００４３】
第１の胸面２４と同様、第２の胸面２５も一般に、細長く凸状のアーチ形状を有し、かつ二等分線Ｂ１との関係において横断方向にある。第２の胸面２５の形状および状況は、図１３〜１７により詳しく示されている。図１３および１４を見れば最も良くわかるように、胸面２５は、２つの境界線３５、３６の間に画定されている長く狭い遷移表面２５ａ（いわゆる半径遷移部分）から下向き／前方向に延在する。遷移表面は、２つの端点ＥＰ２の間に延在し、これらの間には中心ＭＰ２が存在し、この中心はＭＰ１と同様、二等分線Ｂ１に沿って位置設定されている。端点ＥＰ２間の距離は、Ｗ２と呼称される第２の胸面の幅を画定している。第２の胸面２５の一般的傾斜角度β２は、実施例中では、第１の胸面２４の傾斜角度β1より幾分か大きい。実施例において、β2はこうして３４°であり、β1は２７°である。
【００４４】
図１３および１４をひき続き参照すると、（形式上）こぶ２０のクラウンの最上位点ＴＰが、胸面２４の幅Ｗ１を決定する２つの端点ＥＰ１の間を走る断面ＸＶ−ＸＶの幾分か前方向に位置づけされているという点を指摘しておかなければならない。
【００４５】
図１５においては、こぶ２０のクラウンがどのようにクラウンの中央から端点ＥＰ１に向かって連続的により平坦な形状を有するようになるかが示されている。中間部域において、クラウン（ひいては第１の胸面２４）は、こうして比較的大きい曲率半径を有し、この曲率半径はｒ1と呼称されている。図１５を見ると明確にわかるように、後方にある第２の胸面およびその遷移表面２５ａは、第１の胸面との関係において（先行実施例によると０．０５１ｍｍ）突出している。
【００４６】
図１６では（図１３のＸＶＩ−ＸＶＩ断面を参照）、一方では、二等分線Ｂ１に沿って谷部２７の最下位レベルよりも著しく高いレベルで第２の胸面２５の上部部分２５ａがどのように位置づけされているかが示され、他方では、第２の胸面２５の幅Ｗ２がいかに第１の胸面の幅Ｗ１よりも著しく小さいかが示されている。実施例では、Ｗ１は１．０ｍｍであり、Ｗ２は０．６ｍｍである。幅Ｗ２は、最後に言及した値から上下に変動し得る。しかしながら、Ｗ２は好ましくはＷ１の少なくとも５０％でなければならない。
【００４７】
図１７では、ノーズ切れ刃１５との関係における２つの胸面２４、２５の状況が示されている。実施例では、コーナー半径ｒnは０．８ｍｍであり、ノーズ切れ刃１４の内側の扇形は１００°（１８０°−８０°）の円弧角度を有する。図１７を見るとはっきりわかるように、切削先端Ｓと中心ＭＰ１の間の半径距離は半径ｒnよりも小さい。したがって実施例では、Ｌ１はおよそ０．７ｍｍである。換言すると、第１の胸面２４はノーズ切れ刃１５の近くに位置づけされて、ノーズ切れ刃１５のみに沿って主として除去されるタイプの幅狭の切り屑による打撃を急速に受けるようになっている。さらに、第２の胸面２５はそれ自体、距離Ｌ２がＬ１より小さくなるような形で、前部胸面２４の近くに位置づけされている。実施例では、Ｌ２は、０．３ｍｍ、すなわち測定値Ｌ１の半分未満となる。これに関連して、第２の胸面２５（図６参照）が、平坦な支持表面８の前方部分の前で有意な距離のところに位置づけされることも指摘しておかなければならない。したがって、最後に言及された距離は、切削先端Ｓと第２の胸面２５の間の距離（Ｌ１＋Ｌ２）よりも幾分か大きい。したがって第１の胸面２４またはいずれにせよ後方にある胸面２５のいずれかによって案内される切り屑は、それらが支持表面８にまで到達する以前のちょうど良いタイミングで横へと案内される。換言すると、切り屑は、旋削用インサートの逆転後まで使用されない支持表面８に損傷を加える可能性無く、横へと案内される。
【００４８】
図６〜１２では、ＶＩＩの断面内の刃先角α1が８１．５°であること（その補角は８．５°である）がわかる。実施例では、切り屑流出面１６ａは平坦な表面の形をしている（わずかにアーチ形状でもあり得る）。このことはすなわち、基準平面ＲＰ（ならびに中立平面ＮＰ）との関係におけるコーナー平面ＣＰの傾斜角度（図１８も参照のこと）が８．５°であることを意味している。刃先角α1は、ＶＩＩの断面からＶＩＩＩの断面に向かって増大し、より厳密には８４．５°の値α2まで増大する。この角度は、主切れ刃１５全体に沿って一定である（図８および９を参照のこと）。アーチ形状の切り屑流出面１６ｂに沿って位置する中間切れ刃１８に沿って、切れ刃α3のくさび角度は、中間切れ刃１８が補助切れ刃１９へと変形する部分内で８４．５°から９０°まで連続して増大する（図１１を参照のこと）。実施例では、刃先角α4は、補助切れ刃１９全体に沿ってつねに９０°であり、ここではこれがそれ自体負の切削幾何形状を有するものの、こうして切れ刃１４、１５、１８に比べ著しく高い強度も有することが関与している。
【００４９】
発明の機能
本発明に係る旋削用インサートの機能を説明するために、図１９〜２５への参照が指示されるが、そのうち図１９は、ＨＰにより表わされる水平平面内に含まれる中心軸Ｃ１上で回転するワーク２を示している。ワークの機械加工は、旋削用インサート４を用いて実施され、この旋削用インサートは、矢印Ｆの方向へのその長手方向給送の間に、ＣＨと呼称される切り屑を生成する。旋削中、旋削用インサート４は、（図１にしたがって付属のホルダー３を介して）、一次切れ刃１２の２つの直線主切れ刃１５、より厳密にはその切れ刃稜線ＥＬ１５が水平平面ＨＰ内に位置設定されている空間的位置において内に傾けられ、ノーズ切れ刃１４ならびに機能状態の主切れ刃１５は正の切削幾何形状を提供する。同時に、旋削用インサートの逃げ面９（これはＮＰに対し垂直であるものの切り屑流出面１６ｂとの関係において角度がついている）は、機械加工に付されるリング状の表面ＳＡ（平坦）およびＳＢ（凹状）から離れている。ＶＩＩの断面内のα1（図１２参照）が８１．５°である場合、ノーズにおける旋削用インサートの凹状表面ＳＢと逃げ面の凸状部分１１との間の逃げ角λ（図２５参照）は、９０−８１．５＝８．５°である。平坦な表面ＳＡとの関係において、より厳密にはＩＸの断面（図９）における刃先角の補角である逃げ角、すなわち実施例では９０−８４．５＝５．５°でも、対応するクリアランス（図示せず）が得られる。
【００５０】
図２２〜２４では、異なる切込みａpでどのように旋削が実施されるかが示されている。図２２では、切込みａｐ１は最小であり、例えばおよそ０．５〜０．８ｍｍである。これに関連して、切り屑の除去は、本質的に（実施例では０．８ｍｍの半径を有する）ノーズ切れ刃１４に沿ってのみ行なわれる。切り屑の微小部分は切れ刃に対して垂直に導かれるという原則のため、切り屑はこの場合断面がアーチ形状となり、二等分線Ｂ１に対して極穏やかな角度で切り屑流出方向が得られる。除去の直後、切り屑は切り屑流出面１６ａをたどり、短時間（距離Ｌ１参照）後に、こぶ２０の前部胸面２４に衝突する。切り屑が偶発的に、前記胸面２４を用いて所望の通りに案内されない場合、それはさらに後向きに走って、その後、より高い位置にある後部胸面２５に衝突し、この胸面は、より高い信頼性で切り屑を（図１９に示された形で）横に遠くまで案内する。このようにして、切り屑は、例えばランド６の側面または後方で切り屑流出面に対してかあるいは旋削用インサートの連結用逃げ面９に対して落下することによって粉々にされるかまたは断片化される。
【００５１】
図２３および２４に係る実施例では、切込みａp２およびａp３はより大きいものである。このことはすなわち、一方では、切り屑の大部分が直線主切れ刃１５に沿ってそしてさまざまな程度で切れ刃１８および１９まで除去されること、そして他方では、切込みが増大するにつれて切り屑流出方向が変更され二等分線Ｂ１に対し増大する角度を形成することを意味している。さらに、切り屑はその横断面の大部分において平坦または矩形になるが、ノーズ切れ刃１４により生成される湾曲形状を有する細い（擦減した）切れ刃部分は例外である。このことはすなわち、増大する切込みを伴う切り屑のより大きい部分が側面２１に衝突し、これにより案内されることを意味している。切込みのみでなく送りも同様に増大させられた場合、切り屑の剛性はこのとき、第１の実施例の場合よりも著しく大きくなった（葦／草の葉を参照のこと）。しかしながら、剛性の増大にも関わらず、切り屑は、とりわけ、切れ刃稜線から側面２１までの垂直方向距離が切削深さの増加に伴って増大したことの帰結としてのみならず、側面２１ならびにこぶ２０およびカム３０の側方表面が比較的平坦である、すなわち適度なピッチ角度で隆起していることの帰結として、注意深くはあるものの明確な形で案内される。こぶ２０は、点ＴＰ内で最高位であり、端点ＥＰに向かって連続的に下降する。このため、これらの表面は、より厚い切り屑が当たって過剰破断し得る険しい障害物を全く提供しない。これに関連して、特に、カム３０およびその中に含まれている第２の胸面２５のいずれも、第２の胸面２５が第１の胸面２４よりも高く（０．０５１ｍｍ）突出しているにも関わらず、より厳密にはカムが逃げ面の平坦部分１０に沿って直線の切れ刃稜線からより大きい横方向距離のところに位置づけされていることおよびその側面にはカムの最高位の波頂から下向きに平坦に勾配がついていることの帰結として、過剰破壊のいかなる危険性にも寄与しない、という点を強調しておかなければならない。さらに、第２の胸面２５は、制限された幅Ｗ２を有する。その上、有意であるのは、胸面２１が多くとも０．４００ｍｍ、好適には図１２に係る実施例の場合のように、０．３００ｍｍの高さを有するという事実である。
【００５２】
本発明の利点は、一次切れ刃（ノーズ切れ刃＋主切れ刃）が、その正の切削幾何形状の帰結として容易に切削するものとなるという点にある。さらに、旋削用インサートの切り屑案内能力は、実際の施削中に発生するかもしれない全てさまざまな条件、例えばさまざまな切込み、さまざまな送りそして（その固有の特性が例えば曲率半径に関して最も可変的な特性を切り屑に付与する可能性がある）異なる材料の機械加工などの条件下において、良好で信頼性の高いものとなるという点にある。詳細には、小さい切込みにおける切り屑形成ならびに切り屑の除去は本質的に改善された状態になり、大きい切込みにおける切り屑形成に顕著な悪影響が及ぼされることもない。
【００５３】
図面の全ての図において、これらの切れ刃は、切り屑流出面および逃げ面が細いラインすなわち切れ刃稜線へ収束するような形で鋭い切れ刃を有する状態で示されてきた。実際には、例えばブラッシングによってかまたは極限の幅狭の強化用面取り表面（最大幅０．０５１ｍｍ）を用いて、前記切れ刃稜線をさらに強化してもよい。
【００５４】
発明の実施可能な修正
本発明は、以上で記述され図面中に示された実施形態のみに限定されるものではない。したがって、切り屑形成手段の切り屑誘導用案内表面は、さまざまな形で修正されてよい。例えば、最前面で薄い切り屑を対象とする胸面を含む前部こぶは、より幅広でより剛性の高い切り屑を案内することを目的とする側面を含む後方にあるランドの部分から分離されていてよい。同様に、支持表面を同時に含むこのようなランド以外の突出する部材の上で前記側面を形成することも同様に実現可能である。さらに、三角形などの四角形とは別の基本的形状を有する旋削用インサートに対して本発明を適用することが可能である。内部に支持表面が位置設定されている平面より低い適度なレベルに位置する旋削用インサートの補助切れ刃が、完全に直線ではなくわずかに反っていてもよいことも同様に言及しておくべきである。同様に、例えば８７〜９０°の範囲内の刃先角の形状を有する、適度な正の切削幾何形状を伴う補助切れ刃を形成することもまた、実現可能である。
【符号の説明】
【００５５】
５ａ    上面
５ｂ    下面
８    支持表面
９    逃げ面
１０    逃げ面の平坦部分
１１    逃げ面の凸状部分
１２    一次切れ刃
１４    ノーズ切れ刃
１５    主切れ刃
１６ａ，１６ｂ    切り屑流出面
１９    補助切れ刃
２０    こぶ
２１    切り屑案内面
２４，２５    胸面
ＣＰ    共通コーナー平面
ＥＬ１４    アーチ状の切れ刃稜線
ＥＬ１５    直線の切れ刃稜線
Ｊ１，Ｊ２，Ｊ３，Ｊ４    コーナー
ＮＰ    中立平面
ＵＳ，ＬＳ    基準平面
α2    刃先角
【図１】
2014180754.tif 000003
【図２】
2014180754.tif 000004
【図３】
2014180754.tif 000005
【図４】
2014180754.tif 000006
【図５】
2014180754.tif 000007
【図６】
2014180754.tif 000008
【図７】
2014180754.tif 000009
【図８】
2014180754.tif 000010
【図９】
2014180754.tif 000011
【図１０】
2014180754.tif 000012
【図１１】
2014180754.tif 000013
【図１２】
2014180754.tif 000014
【図１３】
2014180754.tif 000015
【図１４】
2014180754.tif 000016
【図１５】
2014180754.tif 000017
【図１６】
2014180754.tif 000018
【図１７】
2014180754.tif 000019
【図１８】
2014180754.tif 000020
【図１９】
2014180754.tif 000021
【図２０】
2014180754.tif 000022
【図２１】
2014180754.tif 000023
【図２２】
2014180754.tif 000024
【図２３】
2014180754.tif 000025
【図２４】
2014180754.tif 000026
【図２５】
2014180754.tif 000027